(57)【特許請求の範囲】
【請求項１】
走行機台（１）上に脱穀機（Ａ）とエンジンを前後に載設してエンジンカバ−上を脱穀する挟持穀稈の株元側横送通路にし、該横送通路の終端側に附設する結束機（Ｂ）には一体的に入力軸ケ−ス（６）を設けて前方に延設し、その入力軸ケ−ス（６）前端部から内方に向け突出する入力軸（７）に軸着する入力プ−リ（４）を、機体側のＰＴＯ軸（２）に軸着した出力プ−リ（３）よりも前方に位置させ、出力プ−リ（３）から結束機（Ｂ）の入力プ−リ（４）に無端帯（５）を介して動力伝達するものにするとともに、結束機（Ｂ）を入力軸ケ−ス（６）前端部の近傍部を支点にして外側方に回動可能とした結束機付き自走脱穀機において、前記無端帯（５）にはその緊張度合いが適正であるか否かを知るための確認モニタ−（３２）を取付けるとともに、前記挟持穀稈の株元側横送通路には横送穀稈の有無を検出し揺動するクラッチ棒（２４）を装着して、該クラッチ棒（２４）を前記入力軸ケ−ス（６）前端部のギヤボックス（１４）に内蔵されているクラッチ機構を入切するクラッチア−ム（２７）に連繋し、クラッチ棒（２４）が横送穀稈有りを検出することによって結束機（Ｂ）に動力を伝達し、横送穀稈無しにより結束機（Ｂ）への動力を中断するように構成したことを特徴とする結束機付き自走脱穀機の結束機開放装置。
【発明の詳細な説明】
【０００１】
【発明の属する技術分野】
本発明は、走行機台上に脱穀機とエンジンを載設して穀稈を脱穀するとともに結束機を附設して脱穀した藁稈を結束処理する結束機付き自走脱穀機の結束機開放装置に関するものである。
【０００２】
【従来の技術】
従来、走行機台上に脱穀機とエンジンを前後に載設してエンジンカバ−上を脱穀する挟持穀稈の株元側横送通路にし、該横送通路の終端側に結束機を附設して脱穀した藁稈を順次結束処理する結束機付き自走脱穀機は公知である。
【０００３】
【発明が解決しようとする課題】
しかしながら、従来の結束機付き自走脱穀機においては、結束機がエンジンの右側部に位置してエンジンの右側部を塞ぎエンジンや結束機自体のメンテナンス性を害している。
【０００４】
【課題を解決するための手段】
そこで、本発明は走行機台上に脱穀機とエンジンを前後に載設してエンジンカバ−上を脱穀する挟持穀稈の株元側横送通路にし、該横送通路の終端側に結束機を附設したもので、該結束機を結束位置から外側方に回動可能にしたから、結束機の外側方への回動によって機体側から離間しエンジン周りや結束機自体のメンテナンス性がよくなる。
【０００５】
また、結束機にはＰＴＯ軸に軸着する出力プ−リから結束機の入力プ−リに無端帯を介して動力伝達するものにするとともに、結束機の外側方への回動動作により無端帯を大きく弛緩させる構成にすると、結束機の外側方への回動によって結束機の入力プ−リが出力
プ−リ側に移動して無端帯は大きく弛緩するので、結束機を機体側から離間させるとき無端帯を取り外すに及ばず手間が省けるのである。
【０００６】
また、結束機の外側方への回動は、該結束機と一体的にした入力軸ケ−スを前方に延設し、その前端部から内方に向け突出する入力軸に軸着する入力プ−リを前記出力プ−リよりも前方に位置させ、結束機を入力軸ケ−ス前端部の近傍部を支点にして外側方に回動可
能にすることによって、結束機全体が機体側から大きく離間するとともに、脱穀機の例えば、圧風ファン軸を外側方に延出することによりＰＴＯ軸として兼用できて結束機への動力伝達を簡潔なものにするのである。
【０００７】
【発明の実施の形態】
【実施例】
以下、本発明によるところの結束機開放装置について実施例図に基づき具体的に説明すると、この結束機付き自走脱穀機はクロ−ラ式走行部（Ｄ）を備えた走行機台（１）上の前側に脱穀機（Ａ）を後部側にエンジンを載設し、エンジンの後部上方に操縦部（Ｃ）を設け、また、後側には籾袋を吊持する穀粒収納部（Ｅ）を具備し、エンジンを覆うエンジンカバ−上が脱穀する挟持穀稈の株元側横送通路になり、その株元側横送通路の終端側に結束機（Ｂ）が附設されて、穀稈を脱穀処理しながら穀粒を穀粒収納部（Ｅ）において収納し脱穀した藁稈を結束機（Ｂ）で順次結束処理するようにした従来公知の形態のものである。
【０００８】
なお、（８）は結束機（Ｂ）の結節部、（９）（９）はパッカ−、（１０）はニ−ドル、（１１）はドア、（１２）は透明材で形成したカバ−であり、（１３）は繰出されるロ−ル状の紐を示してある。
【０００９】
（６）は結束機（Ｂ）から前方に向けて延設した入力軸ケ−スで、その前端部にはクラッチ機構を内蔵したギヤボックス（１４）が連結され、このギヤボックス（１４）から内方に向け入力軸（７）が突出し、入力軸（７）の端部に入力プ−リ（４）が軸着されているのである。
【００１０】
また、（１５）は枠体からなる結束機（Ｂ）の結束フレ−ムであって、前側部は外側方に折曲したのち更に前方に向け折曲し、その前端部に溶着する縦方向の筒体（１６）を、後方視でコ字形に成形し上下の両端部を脱穀機（Ａ）の側壁と走行機台（１）に固設して前記ギヤボックス（１４）の外側部に立設させた縦軸（１７）に回動自在に嵌合させ、結束機（Ｂ）と入力軸ケ−ス（６）とギヤボックス（１４）および入力プ−リ（４）が一体となって縦軸（１７）を支点にして外側方に回動可能に構成している。
【００１１】
（１８）は後方視で逆コ字形にし開放側を外側にして固設してある支持具で、結束フレ−ム（１５）の後部側を支持して結束機（Ｂ）を結束状態に保持し、また、走行機台（１）の後端部から立設し上端部を操縦部（Ｃ）の側部に連結する支柱（１９）に蝶ボルト（２０）により緊締することによって結束位置に強固に固定するようにしてある。
【００１２】
そして、（２）は脱穀機（Ａ）の扱卸物風選用の選別風を起風する圧風ファンの軸が外側方に延出されたところのＰＴＯ軸で、該軸（２）の端部に出力プ−リ（３）が軸着され、前記入力プ−リ（４）をこの出力プ−リ（３）よりも前方に位置させて両プ−リ（３）（４）に無端帯（５）を掛け廻し結束機（Ｂ）に脱穀機（Ａ）側から動力を伝達している。
また、（２１）はテンションプ−リを示してある。
【００１３】
尚、前記の縦軸（１７）は例図のものではギヤボックス（１４）の外側部に立設させてあるが、ギヤボックス（１４）周りの近傍部であればよく、ギヤボックス（１４）の外側部に限定されるものではない。
【００１４】
これにより、蝶ボルト（２０）を弛め図３に矢印（イ）で示すように、結束フレ−ム（１５）を縦軸（１７）を支点にして回動させると、結束機（Ｂ）と入力軸ケ−ス（６）とギヤボックス（１４）および入力プ−リ（４）は一体となって回動し、その入力プ−リ（４）は矢印（ロ）のように回動するようになって無端帯（５）を弛緩させながら結束機（Ｂ）はエンジンの側部から大きく離間するのである。
【００１５】
そして、結束フレ−ム（１５）を元の状態に回動させて固定すれば、結束機（Ｂ）は結束位置に復帰するとともに、弛緩している無端帯（５）は緊張し結束機（Ｂ）に動力を伝達するようになる。
【００１６】
また、走行機台（１）の前側に載設する脱穀機（Ａ）は図４に示すように、フィ−ドチエン（２２）と挟扼レ−ル（２３）を上下に対設して穀稈を挟持し横送するのであるが、その挟持穀稈の株元側に接当して穀稈の有無を検出し揺動するクラッチ棒（２４）が装着されている。即ち、このクラッチ棒（２４）は支点（２５）を軸にして揺動する２つのア−ムの下端に溶着されて、（ハ）のように穀稈が供給されると、その挟持穀稈の横送によって矢印（ニ）のように揺動する。この揺動するア−ム（２５）のうち右側のア−ム（２５）はワイヤ−（２６）により前記図３に示すところのギヤボックス（１４）に内蔵されているクラッチ機構を入切するクラッチア−ム（２７）に連繋されて、挟持穀稈有りを検出することによって結束機（Ｂ）に動力を伝達し、穀稈無により結束機（Ｂ）への動力を中断するのである。
【００１７】
そして、前記クラッチ棒（２４）は右側方に延出されて排藁ベルト（２８）が掛け廻されている排藁プ−リ（２９）への藁稈の巻き付き防止の役目もしている。なお、（３０）は挟持穀稈の株元側押え棒、（３１）はクラッチ棒（２４）を復動させる戻しバネである。
【００１８】
また、前記無端帯（５）には図５に示すように、緊張度合いが適正であるか否かを知るための確認モニタ−（３２）が取付けられている。即ち、同図に示してあるように、無端帯（５）の緊張度合いは適正であるが、他のベルトのうちの１つは張過であり、もう１つ
のものは弛過であることが示されて適正な張具合に調整しなければならないことが確認できるようになっている。
【００１９】
更に、この脱穀機（Ａ）の扱胴カバ−（３３）は前記図１のように前側を支点とする上方への回動により開閉し、閉時のロック装置（３４）が後側に取着されている。そして、このロック装置（３４）は図６と図７に示すように、扱胴カバ−（３３）から２つの支持
ア−ム（３５）が突設され、その支持ア−ム（３５）の先端部には上下方向に膨らむ穴（３６）が開口され、この穴（３６）に開閉取手（３７）の両側板（３７ａ）を連結する支点棒（３８）を挿通させ、開閉取手（３７）の裏面から２つのロック板体（３９）が垂設され、そのロック板体（３９）の下部には相対峙する突起部（３９ａ）（３９ｂ）が形設されているのである。
【００２０】
また、（４０）は前記突起部（３９ａ）（３９ｂ）のうち下部側の突起部（３９ａ）が後方から係合する２つの係合孔（４１）と上部側の突起部（３９ｂ）が上側から接当する接当面（４２）を有するロック受体であって、脱穀機（Ａ）の機体に固設されているのである。
【００２１】
したがって、扱胴カバ−（３３）の閉時においては、扱胴カバ−（３３）はその自重によってロック装置（３４）の上部側の突起部（３９ｂ）が接当面（４２）に接当し下部側の突起部（３９ａ）が係合孔（４１）に係合してロック状態を維持することになり、ロック装置（３４）を解除して扱胴カバ−（３３）を開放するときは、開閉取手（３７）を矢印（ホ）のように回動させると、上部側の突起部（３９ｂ）は接当面（４２）に接当して摺擦し下部側の突起部（３９ａ）は係合孔（４１）から脱して図８のようにロックが解除される。そこで、開閉取手（３７）をもち上げると図９のように扱胴カバ−（３３）は上方に開放される。
【００２２】
【発明の効果】
本発明は、以上説明したように実施されたもので、次に記載するような効果を奏する。
【００２３】
即ち、走行機台上に脱穀機とエンジンを前後に載設してエンジンカバ−上を脱穀する挟持穀稈の株元側横送通路にし、該横送通路の終端側に結束機を附設したもので、該結束機を結束位置から外側方に回動可能にすることにより、結束機の外側方への回動によって機体側から離間しエンジン周りや結束機自体のメンテナンス性がよくなる。
【００２４】
また、結束機にはＰＴＯ軸に軸着する出力プ−リから結束機の入力プ−リに無端帯を介して動力伝達するものにするとともに、結束機の外側方への回動動作により無端帯を大きく弛緩させる構成にすると、結束機の外側方への回動によって結束機の入力プ−リが出力
プ−リ側に移動して無端帯は大きく弛緩するので、該機を機体側から離間させるとき無端帯を取り外すに及ばず手間が省け容易になるのである。
【００２５】
更に、結束機の外側方への回動は、該結束機と一体的にした入力軸ケ−スを前方に延設し、その前端部から内方に向け突出する入力軸に軸着する入力プ−リを前記出力プ−リよりも前方に位置させ、結束機を入力軸ケ−ス前端部の近傍部を支点にして外側方に回動可
能にすることによって結束機全体が機体側から大きく離間させることができ、脱穀機の例えば、圧風ファン軸を外側方に延出することによりＰＴＯ軸として兼用できて結束機への動力伝達を簡潔なものにするのである。
【図面の簡単な説明】
【図１】 結束機付き自走脱穀機全体の側面図である。
【図２】 結束機を外側方に回動させるための手段の拡大側面図である。
【図３】 同手段の平面図である。
【図４】 脱穀機の挟持穀稈横送部の斜視図である。
【図５】 無端帯の緊張度合い確認モニタ−を示した図である。
【図６】 扱胴カバ−ロック装置の側面図である。
【図７】 同ロック装置の後方視図である。
【図８】 ロック装置のロック解除状態を示す側面図である。
【図９】 扱胴カバ−の開放始期を示す側面図である。
【符号の説明】
Ａ    脱穀機
Ｂ    結束機
１    走行機台
２    ＰＴＯ軸
３    出力プ−リ
４    入力プ−リ
５    無端帯
６    入力軸ケ−ス
７    入力軸
【図１】
0003850087.tif 000002
【図２】
0003850087.tif 000003
【図３】
0003850087.tif 000004
【図４】
0003850087.tif 000005
【図５】
0003850087.tif 000006
【図６】
0003850087.tif 000007
【図７】
0003850087.tif 000008
【図８】
0003850087.tif 000009
【図９】
0003850087.tif 000010